(57)【特許請求の範囲】
【請求項１】
被乾燥物を収容し乾燥させる回転ドラムと、前記回転ドラム内に空気を供給する送風ファンと、複数の開口部を有する制御板により加熱室と温風送風部とに分離され前記回転ドラム内に供給する空気を加熱する燃焼部と、前記回転ドラムの開口端を回転自在に支承し熱風供給用の給気口を設けたドラム支持板と、一端が前記給気口に連通するとともに他端が前記温風送風部に連通する給気ダクトとを備え、前記給気ダクトと温風送風部との間には、断面積が前記温風送風部の出口の断面積より大きくかつ前記給気ダクトの給気口の断面積より大きい拡張室部を設けるとともに、前記拡張室部に温度検出装置を具備した衣類乾燥機。
【請求項２】
拡張室部の外壁に開口した取付穴部より拡張室内部に突出し温度検出装置を係着した温度検出装置保持部を備え、前記温度検出装置保持部は、前記拡張室部の外壁への投影が取付穴部を塞ぐように傾斜させた請求項１記載の衣類乾燥機。
【発明の詳細な説明】
【０００１】
【産業上の利用分野】
本発明は、回転ドラム内に衣類などの被乾燥物を収容し、回転ドラム内に熱風を供給して乾燥し、回転ドラム内の湿気を送風ファンによって排出するようにした衣類乾燥機に関するものである。
【０００２】
【従来の技術】
従来、この種の衣類乾燥機は図５に示すように構成していた。以下、その構成について説明する。
【０００３】
図に示すように、外枠１は、内部に回転ドラム２を回転自在に支持している。すなわち、回転ドラム２の前部の開口端を熱風供給用の給気口３ａを設けたドラム支持板３で支持し、後部を背板４に固定したシャフト５を介して軸受６にて支持している。この回転ドラム２の奥壁には衣類からでるリントが機外に放出しないようにフィルター７およびフィルターカバー８を着脱自在に装着している。
【０００４】
回転ドラム２の後方には、モータ９の軸に固定したプーリー１０とファンベルト１１にて連結し、ファンケース１２内に設けた送風ファン１３を設け、この送風ファン１３により回転ドラム２内に熱風を送風して衣類を乾燥する。また、回転ドラム２内の衣類を攪拌するためモータ９と連結したドラムベルト１４を介して回転ドラム２を回転する。
【０００５】
被乾燥物を乾燥する熱源は外枠１内に設けた燃焼部１５に収納したバーナー１６にてガスを燃焼する。燃焼部１５はバーナー１６を覆うように設け、回転ドラム２内への吐出部であるドラム支持板３と燃焼部１５とを吸気ダクト１７により連通している。
【０００６】
バーナー１６で燃焼するガスは、供給、遮断を行うための電磁開閉弁（図示せず）と、衣類の乾燥状態および排気温度の上昇などによりガス消費量（燃焼量）を変化させつつ行う比例制御弁（図示せず）とを通して供給される。ガス燃焼に必要なガスは、ガスノズル１８より噴出され、燃焼に必要な空気はガスとともにバーナー１６の吸気口より吸気されてバーナー１６内にて混合され、バーナー１６の炎口にて燃焼する。
【０００７】
熱風の温度を検出する温度検出装置（図示せず）は、サーモスタットで構成し、ガス燃焼の高温を直接に受けないバーナー１６の横に位置する２次空気流入部となる燃焼部１５の側壁に配設して、送風量の変化による燃焼部１５の温度上昇を検出し、比例制御弁によりガス供給量を調整していた。
【０００８】
【発明が解決しようとする課題】
ガス衣類乾燥機の特徴であるガスの高エネルギーを利用した高速短時間乾燥では、被乾燥物（衣類）の温度を高めすぎて熱による損傷を生じぬように、被乾燥物の乾燥状態に応じたガス消費量（燃焼量）の調整が不可避となるが、上記従来の構成では、通常運転時の熱風温度を速やかに把握するには不適切で、検出される温度は連続燃焼運転時の熱風状態に早急に反応しがたいものであった。
【０００９】
したがって、乾燥が急速なために温度変化も速く、ガス消費量の制御は衣類および機体の温度上昇を予測する形で制御が必要となるため、熱風温度を安定した状態で即応的に把握する必要がある。
【００１０】
本発明は上記従来の課題を解決するもので、回転ドラムに供給する熱風を加熱する燃焼部の燃焼を安定させるとともに、乾燥に供する熱風温度を直接的に温度検出装置で検出し得るようにし、衣類の熱損傷を低減し、かつ乾燥時間を短縮できるようにすることを第１の目的としている。
【００１１】
また、外気と熱風とを混流させて温度検出装置の温度を低くすることを第２の目的としている。
【００１２】
【課題を解決するための手段】
本発明は上記第１の目的を達成するために、被乾燥物を収容し乾燥させる回転ドラムと、前記回転ドラム内に空気を供給する送風ファンと、複数の開口部を有する制御板により加熱室と温風送風部とに分離され前記回転ドラム内に供給する空気を加熱する燃焼部と、前記回転ドラムの開口端を回転自在に支承し熱風供給用の給気口を設けたドラム支持板と、一端が前記給気口に連通するとともに他端が前記温風送風部に連通する給気ダクトとを備え、前記給気ダクトと温風送風部との間には、断面積が前記温風送風部の出口の断面積より大きくかつ前記給気ダクトの給気口の断面積より大きい拡張室部を設けるとともに、前記拡張室部に温度検出装置を具備したことを第１の課題解決手段としている。
【００１３】
また、第２の目的を達成するために、上記第１の課題解決手段に加えて、拡張室部の外壁に開口した取付穴部より拡張室内部に突出し温度検出装置を係着した温度検出装置保持部を備え、前記温度検出装置保持部は、前記拡張室部の外壁への投影が取付穴部を塞ぐように傾斜させたことを第２の課題解決手段としている。
【００１４】
【作用】
本発明は上記した第１の課題解決手段により、燃焼部内の空気は、送風ファンの回転によって吸引されるが、複数の開口部を有する制御板により加熱室では送風ファンによる吸引の影響がなく、安定した燃焼をすることができるとともに、燃焼部で加熱された熱風は広がった拡張室部に導かれて拡散するため、拡張室部にて均一化された温度を検出することにより、乾燥に供する熱風に対応した温度を検出することができ、乾燥用の熱風の供給状態に応じたガス消費量（燃焼量）を設定することができ、乾燥用の熱風の温度が適性となる乾燥が可能となる。
【００１５】
また、第２の課題解決手段により、拡張室部外壁に開口させた取付穴部より拡張室内部に突出した温度検出装置保持部は、その外壁への投影が取付穴部を塞ぐように傾斜させたことにより、取付穴部より温度検出装置を通過して外気を吸入することができて温度検出装置の温度を低減することができ、装置の信頼性を向上し、温度精度が高く汎用性のある廉価な温度検出装置の選択が可能となる。
【００１６】
【実施例】
以下、本発明の一実施例を図１から図４を参照しながら説明する。なお、従来例と同じ構成のものは同一符号を付して説明を省略する。
【００１７】
図１および図２に示すように、電磁開閉弁１９は、バーナー１６で燃焼するガスを供給、遮断し、比例制御弁２０は、被乾燥物の乾燥状態、排気温度の上昇などによりガス消費量（燃焼量）を変化させながらガスを供給する。ガス燃焼に必要なガスはガスノズル１８より噴出され、燃焼に必要な空気はガスとともにバーナー１６の吸気口より吸気されてバーナー１６内にて混合され、バーナー１６の炎口にて燃焼する。
【００１８】
燃焼部２１は、バーナー１６の上部に設けた複数の開口部２２ａを有する制御板２２により、バーナー１６がある加熱室２３と熱風送風部２４とに分離している。拡張室部２５は、吸気ダクト１７と熱風送風部２４との間に設け、その断面積は、熱風送風部２４の出口２６の断面積より大きく、給気ダクト１７の給気口２７の面積より大なるように設定している。この拡張室部２５に温度検出装置２８を設置している。
【００１９】
つぎに、図３および図４に示すように、拡張室部２５の外壁に取付穴部２９を開口し、温度検出装置２８を温度検出装置保持部３０に係着し、この温度検出装置保持部３０を拡張室部２５の外壁への投影が取付穴部２９を塞ぐように傾斜させて固定している。
【００２０】
上記構成において動作を説明すると、モータ９の回転駆動して回転ドラム２と送風ファン１３を回転する。その後、電磁開閉弁１９と比例制御弁２０とを開いてバーナー１６にガスを供給し、点火装置（図示せず）により点火する。そして、回転ドラム２内と連通する送風ファン１３の回転によって、回転ドラム２内の湿潤空気を排出し、燃焼部２１の熱風を回転ドラム２内に吸引する。
【００２１】
燃焼部２１内の空気は、送風ファン１３の回転によって吸引されるが、複数の開口部を有する制御板２２により加熱室２３では送風ファン１３による吸引の影響がなく、安定した燃焼をすることができる。そして、バーナー１６によるガスの燃焼により加熱された熱風は、熱風送風部２４を通って拡張室部２５に導かれる。
【００２２】
拡張室部２５では、その断面積が大きいため、熱風は拡散して拡張室部２５内の温度を均一にする。温度検知装置２８にて、この均一化された温度を検出することにより、乾燥に供する熱風に対応した温度を検出することができ、乾燥用の熱風の供給状態に応じたガス消費量（燃焼量）を設定することができ、乾燥用の熱風の温度が適性となる乾燥が可能となる。
【００２３】
このとき、燃焼部２１の熱風を回転ドラム２内に吸引する際に取付穴部２９より外気を温度検出装置２８を通過させて吸引するため、温度検出装置２８の温度を低減することができ、装置の信頼性を向上し、温度精度が高く汎用性のある廉価な温度検出装置を使用することができる。
【００２４】
【発明の効果】
以上のように本発明は、被乾燥物を収容し乾燥させる回転ドラムと、前記回転ドラム内に空気を供給する送風ファンと、複数の開口部を有する制御板により加熱室と温風送風部とに分離され前記回転ドラム内に供給する空気を加熱する燃焼部と、前記回転ドラムの開口端を回転自在に支承し熱風供給用の給気口を設けたドラム支持板と、一端が前記給気口に連通するとともに他端が前記温風送風部に連通する給気ダクトとを備え、前記給気ダクトと温風送風部との間には、断面積が前記温風送風部の出口の断面積より大きくかつ前記給気ダクトの給気口の断面積より大きい拡張室部を設けるとともに、前記拡張室部に温度検出装置を具備したから、燃焼部内の空気は、送風ファンの回転によって吸引されるが、複数の開口部を有する制御板により加熱室では送風ファンによる吸引の影響がなく、安定した燃焼をすることができるとともに、乾燥用空気は吸引されて燃焼しているバーナーにて加熱され高温となり、拡張室部に流入して拡散することにより、拡張室部にて均一化された温度を検出することができ、乾燥に供する熱風に対応した温度を検出し得るようになる。これにより、乾燥用の熱風の供給状態に応じたガス消費量（燃焼量）を設定することができ、乾燥用の熱風の温度が適性となる乾燥が可能となる。また、衣類乾燥機の外枠側の組立性およびメンテナンス性の良い位置に温度検出装置を選択することも可能となる。
【００２５】
また、拡張室部の外壁に開口した取付穴部より拡張室内部に突出し温度検出装置を係着した温度検出装置保持部を備え、前記温度検出装置保持部は、前記拡張室部の外壁への投影が取付穴部を塞ぐように傾斜させたから、送風ファンの回転によって回転ドラム内の湿潤空気を排出し、燃焼部の熱風を回転ドラム内に吸引する際に、取付穴部より外気を温度検出装置を通過させて吸引することができ、温度検出装置の温度を低減することが可能となり、装置の信頼性を向上し、温度精度が高く、汎用性のある廉価な温度検出装置を使用することができる。
【図面の簡単な説明】
【図１】  本発明の一実施例の衣類乾燥機の縦断面図
【図２】  同衣類乾燥機の燃焼部の拡大分解斜視図
【図３】  同衣類乾燥機の温度検出装置取付部の拡大分解斜視図
【図４】  同衣類乾燥機の温度検出装置取付部の拡大断面図
【図５】  従来の衣類乾燥機の縦断面図
【符号の説明】
２  回転ドラム
３  ドラム支持板
３ａ  給気口
１３  送風ファン
１７  給気ダクト
２１  燃焼部
２５  拡張室部
２８  温度検出装置
【図１】
0003674102.tif 000002
【図２】
0003674102.tif 000003
【図３】
0003674102.tif 000004
【図４】
0003674102.tif 000005
【図５】
0003674102.tif 000006